(57)【要約】【目的】商品を収納した偏平なケースを店舗の陳列棚等に設置し陳列するに際し、ケースの偏平面を正面向きとする前向き姿勢で展示せしめる展示スタンドを提供する。【構成】商品を収納した偏平なケースの偏平面を正面向きとした前向き姿勢で載置可能とする座板と、前記ケースの背面を支持するように座板の左右幅方向に沿う板面を有すると共に該座板に着脱自在に立設される背板と、前記座板の前縁部に沿って着脱自在に立設されると共に前記ケースよりも背の低いフロント板を備えた展示スタンドであり、前記座板と背板の相互に、背板を座板に対して前後奥行き方向に移動自在かつ固定自在とする無段階取付手段を設けた構成とされている。【選択図】        図１
2004215801.tif 000002
【特許請求の範囲】
【請求項１】
商品を収納した偏平なケースＣの偏平面Ｃ１を正面向きとした前向き姿勢で載置可能とする座板２と、前記ケースＣの背面を支持するように座板２の左右幅方向に沿う板面を有すると共に該座板に着脱自在に立設される背板３と、前記座板２の前縁部に沿って着脱自在に立設されると共に前記ケースＣよりも背の低いフロント板４を備えた展示スタンドであり、
前記座板２と背板３の相互に、背板３を座板２に対して前後奥行き方向に移動自在かつ固定自在とする無段階取付手段２７を設けて成ることを特徴とする商品収納ケースの展示スタンド。
【請求項２】
無段階取付手段２７は、背板３の下端部に設けた着脱片２６と、座板２を貫通する着脱孔２８とから構成されており、
前記着脱片２６は、背板３の下端部から下向きに突出する脚部２６ａと、該脚部２６ａの突出端から横向きに張出す翼部２６ｂを備え、
前記着脱孔２８は、前記着脱片２６の翼部２６ｂを挿脱自在に挿通せしめる窓孔２８ａと、該窓孔２８ａの側部に連通すると共に座板２の前後奥行き方向に延びるスリット２８ｂを備えており、
前記翼部２６ｂを窓孔２８ａに挿通せしめた状態で背板３を座板２の横方向に移動したとき、該脚部２６ａがスリット２８ｂに対して進入自在となるように臨み、脚部２６ａをスリット２８ｂに進入せしめた状態で背板３を座板２の前後方向に移動したとき、該脚部２６ａがスリット２８ｂに沿って自由に移動自在とされ、脚部２６ａをスリット２８ｂに進入せしめた状態で前向き姿勢とされたケースＣを背板３にもたれ掛けさせたとき、背板３に生じる後傾方向のモーメントＭを介して翼部２６ｂを座板２の裏面に接支せしめることにより、背板３の前後方向移動を阻止するように構成されて成ることを特徴とする請求項１に記載の商品収納ケースの展示スタンド。
【発明の詳細な説明】
【０００１】
【発明の属する技術分野】
本発明は、商品を収納した偏平なケース、例えば、ソフト格納済の商品としてのＣＤ又はＤＶＤのようなディスクやビデオカセット等を収納したケースを店舗の陳列棚等に設置し陳列するに際し、ケースの偏平面を正面向きとする前向き姿勢で展示せしめる展示スタンドに関する。
【０００２】
【従来の技術】
従来、音楽等を録音したＣＤや、映画等を録画したＤＶＤのようなソフト格納済の商品としてのディスク、或いはビデオカセット等は、偏平なケースに収納された状態で、販売店やレンタルショップにおいて展示され陳列されている。
【０００３】
このような商品を販売又はレンタルに供するに際し、商品を収納したケースは、店舗において陳列棚の上にケースの偏平面を横向きとする横向き姿勢にて列設積層状に載置され陳列される。従って、顧客は、陳列されたケースの背表紙の部分に表示されたタイトル等を視認することにより商品を選択する。
【０００４】
【発明が解決しようとする課題】
ところで、例えば新作の商品等、店舗において特定の商品をピーアールするためには、前述のようにケースを横並び状態で展示するだけでは不十分であり、ケースの偏平面を正面向きの姿勢で陳列し、ケースの偏平面に表示されたジャケットを視認し易いように正面に向けて展示する必要がある。
【０００５】
この点に関して、従来においては、合成樹脂板を折曲成形した展示スタンドが提供されているが、次のような問題がある。
（１）従来の展示スタンドは、１枚の合成樹脂板を折曲することにより座板と背板を一体に成形した構成であるため、保管又は運搬のために嵩張るという問題がある。
（２）本発明者の知見によれば、１つの展示スタンドに対して、同時に複数枚のケースを重ねた状態で正面向きに展示した後、枚数を変更したり、或いは厚さの異なるケースを入れ替えて展示できることが望ましいが、従来の展示スタンドは、このような要望に応えることができない。
（２）通常、ケースを前向き姿勢で展示するに際し、従来では折曲成形された背板がケースを後傾姿勢とするように該ケースの背面を支持するが、ケースの後傾角度が一定で不変のものであるため、必ずしも顧客が視認し易いような展示状態を得られない。例えば、顧客の視線が低くなる下段の陳列棚に対しては大きな後傾角度（正面が上向きになる角度）でケースを展示し、顧客の視線が高くなる上段の陳列棚に対しては小さな後傾角度（正面が余り上向きにならないで前向きとなる角度）でケースを展示することが望ましいが、このような望ましい角度に対応せしめることができないという問題がある。
（４）その他、従来の展示スタンドは、ケースを正面向き姿勢で支持するだけのものであり、その他に、情報を表示する等の販売促進のための機能を有せず、付加価値に乏しいという問題がある。
（５）しかも、従来の展示スタンドは、１枚のケースを支持できるように構成されているに過ぎないから、顧客が展示された商品を購入すると、陳列棚に展示スタンドだけが放置され、販売促進の用を足さなくなる。このため、店員が遅滞なく新たなケースを展示スタンドに置かなければならないという不便がある。
（６）更に、従来の場合、専ら展示スタンドとしての機能しかなく、多機能を有しないから、後述するような商品のジャンル等の商品区分情報を表示するためには、別途、見出しスタンドが必要となる。
【０００６】
【課題を解決するための手段】
本発明は、上記課題を解決したディスクケースの展示スタンドを提供するものであり、その手段として構成したところは、商品を収納した偏平なケースの偏平面を正面向きとした前向き姿勢で載置可能とする座板と、前記ケースの背面を支持するように座板の左右幅方向に沿う板面を有すると共に該座板に着脱自在に立設される背板と、前記座板の前縁部に沿って着脱自在に立設されると共に前記ケースよりも背の低いフロント板を備えた展示スタンドであり、前記座板と背板の相互に、背板を座板に対して前後奥行き方向に移動自在かつ固定自在とする無段階取付手段を設けて成る点にある。
【０００７】
この際、無段階取付手段は、背板の下端部に設けた着脱片と、座板を貫通する着脱孔とから構成することが好ましく、本発明の実施形態において、前記着脱片は、背板の下端部から下向きに突出する脚部と、該脚部の突出端から横向きに張出す翼部を備え、前記着脱孔は、前記着脱片の翼部を挿脱自在に挿通せしめる窓孔と、該窓孔の側部に連通すると共に座板の前後奥行き方向に延びるスリットを備えている。これにより、前記翼部を窓孔に挿通せしめた状態で背板を座板の横方向に移動したとき、該脚部はスリットに対して進入自在となるように臨み、脚部をスリットに進入せしめた状態で背板を座板の前後方向に移動したとき、該脚部はスリットに沿って自由に移動自在とされる。そして、脚部をスリットに進入せしめた状態で前向き姿勢とされたケースを背板にもたれ掛けさせたとき、背板に生じる後傾方向のモーメントを介して翼部を座板の裏面に接支せしめ、背板の前後方向移動を阻止するように構成されている。
【０００８】
【発明の実施の形態】
以下図面に基づいて本発明の好ましい実施形態を詳述する。
【０００９】
（展示スタンドの基本的構成）
展示スタンド１は、図４及び図５に示すように、ソフト格納済のＣＤ又はＤＶＤやビデオカセット等の商品を収納した偏平なケースＣを正面向きの姿勢で起立支持せしめるものであり、図１に分解して示すように、ケースＣを載置可能とする座板２と、座板２の左右幅方向に沿ってケースＣとほぼ同じ背丈の板面を有すると共に該座板２に着脱自在に立設される背板３と、座板２の前縁部に沿って着脱自在に立設されると共にケースＣよりも背の低いフロント板４とを備え、更に、背板３とフロント板４の間に位置して座板２に着脱自在に立設される仕切部材５とを備えている。
【００１０】
座板２は、合成樹脂により平面視ほぼ矩形に形成され、その幅をディスクケースＣとほぼ同幅又はやや広幅に形成されている。図例の場合、座板２は、透明に形成されているが、不透明に形成しても良い。座板２は、前縁部の上面に前側座面２ａを形成すると共に、後縁部の上面に後側座面２ｂを形成し、前側座面２ａと後側座面２ｂの間に位置する上面に中央座面２ｃを形成している。更に、前側座面２ａと中央座面２ｃの間に位置して、前側座面２ａと平行な帯状上面部２ｄを備え、該帯状上面部２ｄと中央座面２ｃの間に座板２の左右の全幅方向に延びる溝２ｅを設けている。
【００１１】
（フロント板と座板の構成）
フロント板４は、合成樹脂製の透明板（半透明板を含む）により形成され、座板２の前側座面２ａに載置される基板部４ａから起立する起立壁４ｂを備えており、起立壁４ｂの両側縁から裏面に向けて添設手段４ｃ、４ｃを設けている。フロント板４の起立壁４ｂは、ケースＣよりも相当に低い背丈となるように横長矩形形状に形成されている。尚、起立壁４ｂは、基板部４ａに対して後傾状に傾斜して起立せしめても良いが、図１に示すように、基板部４ａから直交して起立せしめ、基板部４ａを載置状に取付ける座板２の前縁部の前側座面２ａを水平面よりもやや後傾せしめることにより、座板２にフロント板４を取付けた状態で起立壁４ｂが後傾姿勢となるように形成しても良い。
【００１２】
フロント板４の起立壁４ｂの裏面には、添設手段４ｃ、４ｃを介して前部シート１０が着脱自在に添設される構成とされている。前部シート１０は、起立壁４ｂのほぼ全面にわたる大きさの横長矩形シートから構成され、その表面には、図４及び図５に示すような表面情報１１を印刷等により表示している。
【００１３】
図例において、前部シート１０を着脱自在に添設せしめるフロント板４の添設手段４ｃは、起立壁４ｂの両側縁からほぼ直交状に折曲されたリブ壁４ｄと、該リブ壁４ｄから起立壁４ｂの背面（裏面）に向けて膨出する円弧状の係止片４ｅを備えた構成とされており、前部シート１０を起立壁４ｂの背面に重ね合わせたとき、前部シート１０の左右側縁が一対の係止片４ｅ、４ｅに係止される構成とされている。
【００１４】
フロント板４の基板部４ａは、座板２の前側座面２ａに対して載置可能であると共に着脱自在であり、このため、前側座面２ａには複数の嵌合孔１５、１５が開設され、基板部４ａの下面には嵌合片１６、１６が設けられている。
【００１５】
前側座面２ａに設けられた嵌合孔１５、１５は、それぞれ座板２の横方向に連設された相互に連通する広幅部１５ａと細幅部１５ｂとを備えている。これに対応して、フロント板４の基板部４ａの下面に設けられた嵌合片１６は、前記細幅部１５ｂに挿通自在となるように基板部４ａの下面から突設された脚部１６ａと、該脚部１６ａの突出端に連設されると共に前記広幅部１５ａに挿通自在とされる平板部１６ｂとを備えている。
【００１６】
そこで、嵌合孔１５、１５の広幅部１５ａに対して、嵌合片１６、１６の平板部１６ｂを対面せしめ、フロント板４を押下げることにより平板部１６ｂを広幅部１５ａに挿通せしめた後、次いで、フロント板４を広幅部１５ａから細幅部１５ｂに向けて横方向に移動することにより、脚部１６ａを細幅部１５ｂに圧入すれば、平板部１６ｂが細幅部１５ｂの下面に位置せしめられ、嵌合片１６を嵌合孔１５に対して抜止状に固定する。尚、嵌合片１６、１６を嵌合孔１５、１５から抜き取る場合は、上記と逆の作業を行えば良い。
【００１７】
（背板と座板の構成）
背板３は、図示実施形態において合成樹脂製の透明板（半透明板を含む）により形成されているが、不透明板により形成しても良く、座板２の後側座面２ｂに載置自在な基板部３ａから起立することにより座板２の左右幅方向に沿う板面を構成する起立壁３ｂを備えており、該起立壁３ｂの両側縁に添設手段４ｃ、４ｃを設けている。背板３の起立壁３ｂは、ケースＣの高さとほぼ同じ背丈の矩形状に形成されており、図例の場合、基板部３ａに対して起立壁３ｂを直交状に起立せしめている。
【００１８】
背板３の起立壁３ｂは、添設手段３ｃを介して背部シート６が着脱自在に添設される構成とされている。背部シート６は、起立壁３ｂのほぼ全面にわたる大きさの矩形シートから構成され、図４及び図５に示すように、該シートの表面には、上欄に上欄情報７を印刷等により表示すると共に、下欄に下欄情報８を印刷等により表示しており、更に、その裏面には、裏面情報９を印刷等により表示している。
【００１９】
図１に示すように、背部シート６を着脱自在に添設せしめる背板３の添設手段３ｃは、起立壁３ｂの両側縁から前方に向けてほぼ直交状に折曲されたリブ壁３ｄと、該リブ壁３ｄから起立壁３ｂの前面に向けて膨出する円弧状の係止片３ｅを備えた構成とされており、背部シート６を起立壁３ｂの前面に重ね合わせたとき、背部シート６の左右側縁が一対の係止片３ｅ、３ｅに係止される構成とされている。尚、図示実施例において、左右の係止片３ｅ、３ｅは、上下２段に設けられている。
【００２０】
背板３は、座板２の後側座面２ｂに対して着脱自在であると共に、座板２の中央座面２ｃに対して着脱自在であり、後側座面２ｂと中央座面２ｃに対して選択的に着脱自在となるように構成されている。
【００２１】
（後側座面に対する背板の着脱構造）
背板３の基板部３ａを後側座面２ｂに対して取付けるための着脱構造は、上述したフロント板４の基板部４ａと前側座面２ａの相互に設けた着脱構造とほぼ同様に構成されている。即ち、後側座面２ｂには複数の嵌合孔２５、２５が開設され、背板３の基板部３ａの下面には着脱片２６、２６が設けられている。更に、嵌合孔２５、２５の間には後側座面２ｂの上方に突出する突起１７が設けられ、着脱片２６、２６の間に位置して基板部３ａに切欠部１８が設けられている。
【００２２】
後側座面２ｂに設けられた嵌合孔２５、２５は、それぞれ横方向に連設された相互に連通する広幅部２５ａと細幅部２５ｂを備えている。これに対応して、背板３における基板部３ａの下面に設けられた着脱片２６は、前記細幅部２５ｂに挿通自在となるように基板部３ａの下面から突出する脚部２６ａと、該脚部２６ａの突出端に直交せしめられ前記広幅部２５ａに挿通自在とされる平板部を構成するように脚部２６ａの突出端から横向きに張出す翼部２６ｂを備えている。
【００２３】
そこで、図２に示すように、嵌合孔２５、２５の広幅部２５ａに対して、着脱片２６、２６の翼部２６ｂを対面せしめ、背板３を図示矢印Ｖの方向に移動することにより、翼部２６ｂを広幅部２５ａに挿通せしめた後、次いで、背板３を図示矢印Ｌの方向に移動することにより、脚部２６ａを細幅部２５ｂ、１５ｂに圧入すれば、翼部２６ｂが細幅部２５ｂの下面に位置せしめられ、着脱片２６を嵌合孔２５に対して抜止状に固定する。尚、着脱片２６、２６を嵌合孔２５、２５から抜き取る場合は、上記と逆の作業を行えば良い。
【００２４】
前述のように背板３を図示矢印Ｖの方向に移動した際、突起１７は基板部３ａの下面に当接し、基板部３ａを僅かに変形せしめるが、背板３を図示矢印Ｌの方向に移動すると、切欠部１８が突起１７の上に到達することにより、突起１７を切欠部１８に嵌合せしめる。着脱片２６、２６を嵌合孔２５、２５から抜き取るに際し、背板３を図示矢印Ｌの反対方向に移動すると、突起１７が切欠部１８から基板部３ａの下側にもぐり込み、背板３の移動を可能ならしめる。
【００２５】
（中央座面に対する背板の着脱構造と無段階取付手段）
背板３の基板部３ａを座板２の中央座面２ｃに対して取付けるための着脱構造は、背板３を中央座面２ｃの上面に沿って座板２の前後奥行き方向に移動自在かつ固定自在とする無段階取付手段２７を構成する。
【００２６】
無段階取付手段２７は、前述した背板３の基板部３ａに設けた脚部２６ａと翼部２６ｂを備えた着脱片２６、２６に対して、中央座面２ｃを貫通する着脱孔２８、２８を座板２の幅方向に間隔をあけて設けることにより形成される。
【００２７】
着脱孔２８は、着脱片２６の翼部２６ｂを挿脱自在に挿通せしめる窓孔２８ａと、該窓孔２８ａの側部に連通すると共に中央座面２ｃの前後奥行き方向に延びるスリット２８ｂを備えている。
【００２８】
そこで、図３に示すように、着脱孔２８、２８の窓孔２８ａに対して、着脱片２６、２６の翼部２６ｂを対面せしめ、背板３を図示矢印Ｖの方向に移動することにより、翼部２６ｂを窓孔２８ａに挿通せしめた後、次いで、背板３を図示矢印Ｌの方向に移動すると、脚部２６ａはスリット２８ｂに対して進入自在となるように臨ましめられる。従って、このように脚部２６ａを窓孔２８ａからスリット２８ｂに進入させた状態で、脚部２６ａをスリット２８ｂに沿って自由に移動できるので、背板３は、図示矢印Ｆに示すように、中央座面２ｃの前後方向に移動自在である。しかも、このとき、翼部２６ｂが座板２の下側に位置してスリット２８ｂを横断するように位置しているので、着脱片２６は着脱孔２８に対して抜止状に取付けられる。尚、着脱片２６、２６を着脱孔２８、２８から抜き取る場合は、上記と逆の作業を行えば良い。脚部２６ａをスリット２８ｂに挿入することにより背板３を中央座面２ｃに前後方向移動自在に取付けけた状態において、後述するように、ケースＣの下端部を溝２ｅに係止せしめると共に該ケースＣの上端部を背板３にもたれ掛けさせると、背板３には後傾方向のモーメントＭが生じるので、起立壁３ｂをやや後傾姿勢とするように傾動する。この際、着脱片２６の翼部２６ｂが座板２の裏面に接支するので、背板３はスリット２８ｂに沿って自由に移動しなくなり、背板３の前後方向移動が阻止される。
【００２９】
（仕切部材と座板の構成）
仕切部材５は、左右一対の支柱１２、１２の上部に帯壁１５ａを架設したほぼ門形状に形成されており、帯壁１５ａには任意情報１３を表示することが可能とされている。仕切部材５を着脱自在に挿着せしめるため、座板２の中央座面２ｃの両側縁近傍には、複数の挿着手段１４が前後方向に間隔をあけて配設されている。
【００３０】
（仕切部材の着脱構造）
仕切部材５を座板２の挿着手段１４に対して着脱自在とするため、図１に示すように、挿着手段１４は、皿穴１９と、座板２の下方に延びるボス座２０を介して皿穴の中心から下方に延びる挿着孔２１を備えている。図示省略しているが皿穴１９の内周面には係止突起が設けられている。尚、ボス座２０は、座板２を陳列棚に設置した際、座板２の下向きリブ状の周壁と同時に棚板に接当し、座板２を安定載置せしめる。
【００３１】
仕切部材５は、支柱１２、１２の下端近傍にフランジ２３を備え、該フランジ２３の中心から下方に向けて挿入片２４を延長しており、図示省略しているがフランジ２３の周面に係止溝を形成している。
【００３２】
そこで、仕切部材５の挿入片２４を座板２の挿着孔２１に挿入すると、フランジ２３が皿穴１９に嵌入せしめられると共に、皿穴１９の周面の係止突起をフランジの周面の係止溝に嵌合する。仕切部材５を座板２から取外す場合は、支柱１２を引き上げれば、係止突起が係止溝から外れ、フランジ２３及び挿入片２４を皿穴１９及び挿着孔２１から脱する。
【００３３】
（展示スタンドの第１使用例）
図４（Ａ）は、展示スタンド１の第１使用例を示しており、背板３の基板部３ａを座板２の後側座面２ｂに取付けた状態で使用される。背板３の起立壁３ｂに添設された背部シート６は、上欄情報７として商品に関するメッセージその他の販促情報を表示しており、また、下欄情報９として例えば「品切れ中」又は「しばらくお待ち下さい」のような商品が欠乏している旨を顧客に知らしめる品切れメッセージ情報を表示している。更に、フロント板４の起立壁４ｂに添設された前部シート１０は、表面情報１１として商品のセールスポイント等の見出し情報を表示している。
【００３４】
上述のように、店舗においては、商品を収納したケースＣを陳列棚の上に横並び状（横向き積層状）に載置することにより展示陳列しているが、新作の商品等、商品を顧客に対してピーアールする場合は、陳列棚の上にスペースをあけた状態で、フロント板４を正面向きとして展示スタンド１を設置し、図４（Ａ）に示すように、座板２の上に商品を収納したケースＣを偏平面Ｃ１が正面向きとなるように前向き姿勢で載置すれば良い。図例の場合、１枚のケースＣを示しているが、複数のケースＣを前後に積層状に重ね合わせた状態で座板２に載置することができる。この際、ケースＣが多数個の場合は、後述する図５（Ａ）に示す第３使用例又は図５（Ｂ）に示す第４使用例と同様に、仕切部材５を取外しておけば良いが、図４（Ａ）に示すように１枚又は少数枚の場合であってケースＣが背板３に向けて顕著に後傾してしまう場合は、図示のように仕切部材５を挿着せしめることにより、ケースＣを起立状態に支持せしめるのが良い。
【００３５】
この状態で、顧客は、ケースＣの内側に添設されたジャケットを正面から視認するので、商品のピーアール効果に優れ、しかも、正面側からは、背部シート６における上欄情報７に表示された販促情報を視認し、更に、前部シート１０における表面情報１１に表示された見出し情報を視認する。このため、商品の販売促進に資することができる。
【００３６】
ところで、顧客が商品を購入する等、ケースＣを取り除くことにより、座板２上のケースＣが欠乏したとき、背部シート６の下欄情報８に表示された品切れメッセージ情報が現われる。即ち、座板２にケースＣが載置されているとき、下欄情報８は、ケースＣにより隠蔽されることにより正面側から視認困難な状態とされているが、ケースＣが完全に取り除かれると、正面側から視認容易な状態とされる。従って、これにより顧客に対して商品が品切れ状態であることを知らしめることができる。
【００３７】
（展示スタンドの第２使用例）
図４（Ｂ）は、展示スタンド１の第２使用例であり、商品のジャンル等の商品区分情報を表示するための見出しスタンドとして使用する場合の使用例を示している。上述のように、販売店やレンタルショップにおいては、商品を収納したケースＣを陳列棚の上に横並び状（横向き積層状）に載置するに際し、その商品に格納されたソフト内容（録音された音楽や、録画された映画）に応じてジャンル別に区分けすることにより展示陳列することが行われ、その場合、ジャンルを表示した見出しスタンドが展示棚に付設される。
【００３８】
そこで、展示スタンド１は、図４（Ｂ）に示すように、背板３が正面向きとなるように設置することにより、背部シート６の裏面情報９を前向きに表示せしめることができる。この際、裏面情報９は、例えば録音ＣＤの場合は「演歌」「ジャズ」等の音楽ジャンルを見出し表示し、録画ＤＶＤの場合は「スリラー」「アクション」等の映画ジャンルを見出し表示している。
【００３９】
このため、店舗においては、別途、専用の見出しスタンドを準備しておく必要がなく、展示スタンド１を見出しスタンドとして兼用することができ、コスト減に寄与できるという効果がある。
【００４０】
（展示スタンドの第３使用例）
図５（Ａ）は、展示スタンド１の第３使用例を示しており、背板３の基板部３ａを座板２の中央座面２ｃに取付けた状態で使用される。即ち、同図には示されていないが、前述のように、着脱片２６の脚部２６ａが着脱孔２８のスリット２８ｂに挿通せしめられており、従って、背板３は、図６（Ａ）に矢印Ｆで示すように、中央座面２ｃの上で前後方向に移動自在である。背板３の起立壁３ｂに添設された背部シート６の上欄情報７及び下欄情報９と、フロント板４の起立壁４ｂに添設された前部シート１０の表面情報１１の機能及び作用は、上述した第１使用例の場合と同様である。
【００４１】
そこで、新作の商品等を顧客に対してピーアールするため、フロント板４を正面向きとして設置された展示スタンド１は、図５（Ａ）に示すように、中央座面２ｃの上に商品を収納したケースＣを偏平面Ｃ１が正面向きとなるように前向き姿勢で載置される。この際、図６（Ａ）に鎖線で示すように、背板３を中央座面２ｃの後部寄りの位置Ｓ１に移動させたときは、中央座面２ｃの上に大きなスペースができるので、複数枚のケースＣを前後に積層状に重ね合わせた状態で中央座面２ｃに載置することができる。尚、最前位置のケースＣは、下端部を溝２ｅに係止している。
【００４２】
ところで、中央座面２ａに載置するケースＣの枚数が１枚又は少数枚とされる場合は、下端部を溝２ｅに係止したケースＣが背板３に向けて顕著に後傾してしまうことになるため、この場合は、図６（Ａ）に実線で示すように、背板３を中央座面２ｃの前部寄りの位置Ｓ２に移動させれば良く、これによりケースＣを所望の後傾姿勢にて展示することができる。また、背板３をスリット２８ｂに沿って前後方向の自由な位置に無段階に移動せしめることにより、ケースＣを任意の後傾角度とした姿勢で展示することができる。
【００４３】
着脱片２６の脚部２６ａが着脱孔２８のスリット２８ｂに対して任意の位置に移動させた状態で、下端部を溝２ｅに係止せしめたケースＣの上端部を背板３にもたれ掛けさせると、図６（Ｂ）に示すように、起立壁３ｂを後傾方向に傾動せしめる外力として作用するので、背板３には後傾方向のモーメントＭが生じる。これにより背板３が僅かでも傾動されると、着脱片２６の翼部２６ｂが座板２の裏面に接支し、着脱片２６の脚部２６ａがスリット２８ｂに沿って自由に移動することを阻止する、即ち、背板３を前後方向に移動しないように固定する。図示実施形態の場合、図６（Ｂ）に示すように、翼部２６ｂが上向き方向Ｕに押上げられることにより座板２の裏面に接支すると共に、起立壁３ｂの下端が下向き方向Ｄに押下げられることにより座板２の上面に接支する。尚、ケースＣを除去することにより、背板３をモーメントＭから解放すると、翼部２６ｂが座板２の裏面との間のクリアランスを回復するので、脚部２６ａをスリット２８ｂに沿わしめることにより背板３を自由に前後移動することが可能になる。背部シート６及び前部シート１０の機能及び作用は、図４（Ａ）に基づいて上述した第１使用例の場合と同様である。
【００４４】
（展示スタンドの第４使用例）
図５（Ｂ）は、展示スタンド１の第４使用例を示しており、背板３の基板部３ａを座板２の中央座面２ｃに取付けているが、前後面を反転させることにより、背部シート６の裏面情報９を前向きに表示せしめている。裏面情報９が音楽ジャンルや映画ジャンル等の区分けを表示していることは上述の通りである。
【００４５】
第４使用例の場合、ケースＣを展示せずに展示スタンドを陳列棚に載置することにより、見出しスタンドとして利用することができ、この場合、フロント板４に添設した前部シート１０の表面情報１１により表示される見出し情報と、背板３に添設した背部シート６の裏面情報９により表示されるジャンル情報が同時に正面向きとされ、顧客の注意を惹起できる。
【００４６】
ところで、第４使用例においても、図５（Ｂ）に鎖線で示すように、中央座面２ｃにケースＣを載置することにより展示せしめても良く、背板３を前後面が反転するようにして中央座面２ｃに取付けた状態においても、無段階取付手段２７は、上述した第３使用例の場合と同様に作用する。
【００４７】
【発明の効果】
従来の展示スタンドが１枚の合成樹脂板を折曲することにより座板と背板を一体に成形した構成であるため、保管又は運搬のために嵩張るという問題があるのに対して、本発明によれば、座板２と、背板３と、フロント板４が着脱自在に構成されているので、保管状態がコンパクトであり、保管及び運搬等のために貢献できる。
【００４８】
偏平面Ｃ１を正面向きとした前向き姿勢のケースＣを起立保持する展示スタンドは、１つの展示スタンドに対して、同時に複数枚のケースを重ねた状態で正面向きに展示した後、枚数を変更したり、或いは厚さの異なるケースを入れ替えて展示できることが望ましいところ、本発明によれば、このような要望に応えることができる。即ち、無段階取付手段２７を介して、背板３が座板２の前後奥行き方向に自由に移動かつ固定自在であるから、ケースＣの枚数や厚さの変化に対応せしめた位置に背板３を移動させることができ、しかも、移動位置において、ケースＣを背板３にもたれ掛けさせるだけで、背板３を移動不能に固定できるという効果がある。
【００４９】
そして、背板３をスリット２８ｂに沿って前後方向の自由な位置に移動させることにより、該背板３にもたれ掛けさせた状態で展示されるケースＣの後傾角度を自由に微調整することができる。従って、常にケースＣを顧客が視認し易いような後傾角度で展示することができ、例えば、顧客の視線が低くなる下段の陳列棚に対しては大きな後傾角度（正面が上向きとなる角度）でケースＣを展示し、顧客の視線が高くなる上段の陳列棚に対しては小さな後傾角度（正面が余り上向きにならないで前向きとなる角度）でケースＣを展示することが可能になるという利点がある。
【図面の簡単な説明】
【図１】本発明の１実施形態を分解して示す斜視図である。
【図２】本発明の実施形態において、背板を座板の後側座面に取付ける際の作用を示す部分拡大斜視図である。
【図３】本発明の実施形態において、背板を座板の中央座面に取付ける際の作用を示す部分拡大斜視図である。
【図４】本発明の実施形態の使用例を示しており、（Ａ）は第１使用例を示す斜視図、（Ｂ）は第２使用例を示す斜視図である。
【図５】本発明の実施形態の使用例を示しており、（Ａ）は第３使用例を示す斜視図、（Ｂ）は第４使用例を示す斜視図である。
【図６】本発明の実施形態における無段階取付手段の作用を示しており、（Ａ）は全体を示す縦断側面図、（Ｂ）は部分的に拡大して示す縦断側面図である。
【符号の説明】
１    展示スタンド
２    座板
２ａ  前側座面
２ｂ  後側座面
２ｃ  中央座面
３    背板
４    フロント板
６    背部シート
１０    前部シート
２５    嵌合孔
２５ａ  広幅部
２５ｂ  細幅部
２６    着脱片
２６ａ  脚部
２６ｂ  翼部
２７    無段階取付手段
２８    着脱孔
２８ａ  窓孔
２８ｂ  スリット
【図１】
2004215801.tif 000003
【図２】
2004215801.tif 000004
【図３】
2004215801.tif 000005
【図４】
2004215801.tif 000006
【図５】
2004215801.tif 000007
【図６】
2004215801.tif 000008